(57)【要約】【課題】本発明は、成形が容易であり、且つ放熱効果が高いファンモジュール及び該ファンモジュールにおける固定部材を提供することを目的とする。【解決手段】本発明のファンモジュールは、固定部材、伝熱パイプ、ファン及び蓋板を備える。伝熱パイプとファンとはそれぞれ、固定部材の反対側に設置され、蓋板はファンをカバーし、固定部材は高分子伝熱材料によって製造され、底板及び該底板に設置された側壁を備え、底板は収容部と放熱部とを備え、側壁には、底板の収容部を囲むように取り付け溝が形成され、放熱部を囲み、且つ取り付け溝と連通する放熱口が形成され、ファンは、回転可能に収容部に取り付けられ、且つ取り付け溝内に収容され、放熱部には、複数の伝熱棒が設置され、側壁には、伝熱口が設けられ、底板の側壁の外部に位置する箇所には、複数の伝熱棒が設けられ、底板の側壁の外部に位置する伝熱棒は、伝熱口と対応し、蓋板は、側壁に設置される。【選択図】図４
2014225659.tif 000002
【特許請求の範囲】
【請求項１】
固定部材、伝熱パイプ、ファン及び蓋板を備え、前記伝熱パイプと前記ファンとは、それぞれ前記固定部材の反対側に設置され、前記蓋板は、前記ファンをカバーするファンモジュールにおいて、
前記固定部材は、高分子伝熱材料によって製造され、底板及び前記底板に設置されたＵ字状の側壁を備え、前記底板は、互いに接続された収容部及び放熱部を備え、前記側壁には、前記底板の収容部を囲むように取り付け溝が形成され、前記放熱部を囲むように、且つ前記取り付け溝と連通するように放熱口が形成され、前記ファンは、回転可能に前記収容部に取り付けられ、且つ前記取り付け溝内に収容され、前記放熱部には、複数の伝熱棒が設置され、前記側壁には、伝熱口が設けられ、前記底板の前記側壁の外部に位置する箇所には、複数の伝熱棒が設けられ、前記底板の前記側壁の外部に位置する伝熱棒は、前記伝熱口と対応し、前記蓋板は、前記側壁に設置されることを特徴とするファンモジュール。
【請求項２】
前記収容部には、半球形の伝熱突起が均一に設置され、且つ複数の放熱孔が設けられ、前記複数の放熱孔の外輪郭は、仮想上の１つの円周を形成し、前記収容部の前記複数の放熱孔の外輪郭を囲むように形成される仮想上の円周の中心箇所には、取り付け孔が設けられ、前記ファンは、回転可能に前記取り付け孔に設置されることを特徴とする、請求項１に記載のファンモジュール。
【請求項３】
前記固定部材は一体成形され、前記底板において側壁側とは反対側の一側には、固定溝が設けられ、前記固定溝と前記底板の放熱孔の１つ以上とは連通し、前記伝熱パイプは、前記固定溝に一体成形されることを特徴とする、請求項２に記載のファンモジュール。
【請求項４】
前記伝熱パイプは、真空伝熱銅管であり、前記固定部材は、４０％重量分率のポリアミドと、６０％重量分率のナノグラファイトと、で構成され、前記伝熱パイプは、インサート成形方法によって、前記固定部材内に設置されることを特徴とする、請求項３に記載のファンモジュール。
【請求項５】
前記側壁は、円孤形の接続板と、前記接続板の両端から前記接続板と離れる方向に向けて延在する２つの止め板と、を備え、前記接続板は、前記底板の収容部を囲むように取り付け溝が形成され、前記２つの止め板は、前記放熱部の両側に設置され、且つ互いに対向して、前記取り付け溝と連通する放熱口を形成することを特徴とする、請求項１に記載のファンモジュール。
【請求項６】
前記伝熱口は、２つであり、それぞれ前記接続板の前記止め板に対応して設けられ、各止め板の前記接続板と接続する箇所は、前記放熱部に向けて突出して、前記底板に対して垂直である固定孔が設けられており、前記蓋板は、前記固定孔とロックされて、前記側壁に固定されることを特徴とする、請求項５に記載のファンモジュール。
【請求項７】
前記固定部材は、前記側壁の外部に位置する２つの延在部を備え、各延在部は、前記止め板から前記接続板に向けて延在し、前記延在部の一端には、複数の伝熱棒が設けられており、該複数の伝熱棒は、それぞれ前記２つの延在部の前記接続板と隣接する一端に位置し、且つ対応する前記伝熱口の一側と隣接することを特徴とする、請求項６に記載のファンモジュール。
【請求項８】
前記ファンは、インペラーと、前記インペラーの周辺を囲むように延在している複数の羽根と、を備え、前記羽根は、前記インペラーの径方向に沿って、且つ外部に向けて延在するように形成され、前記インペラーは、回転可能に前記収容部の取り付け孔内に取り付けられ、前記羽根は、前記複数の放熱孔の上方に位置することを特徴とする、請求項２に記載のファンモジュール。
【請求項９】
ファンモジュールにおける固定部材において、
前記固定部材は、高分子伝熱材料によって製造され、底板及び前記底板に設置されたＵ字状の側壁を備え、前記底板は、互いに接続された収容部と放熱部とを備え、前記側壁には、前記底板の収容部を囲むように取り付け溝が形成され、前記放熱部を囲むように、且つ前記取り付け溝と連通するように放熱口が形成され、前記放熱部には、複数の伝熱棒が設置され、前記側壁には、伝熱口が設けられ、前記底板の前記側壁の外部に位置する箇所には、複数の伝熱棒が設けられていることを特徴とする、ファンモジュールにおける固定部材。
【請求項１０】
前記固定部材は、４０％重量分率のポリアミドと、６０％重量分率のナノグラファイトで構成されることを特徴とする、請求項９に記載のファンモジュールにおける固定部材。
【発明の詳細な説明】
【技術分野】
【０００１】
本発明は、ファンモジュールに関し、特に電子装置に取り付けられるファンモジュール及び該ファンモジュールにおける固定部材に関するものである。
【背景技術】
【０００２】
従来のパーソナルコンピューター（以下、パソコンという）には、ファンモジュールが取り付けられており、チップの熱を放熱する。ファンモジュールは、固定部材、固定部材の一側に設置された放熱フィン、固定部材の別の一側に設置された伝熱パイプ、放熱フィンと隣接して固定部材に設置されたファン及びファンをカバーする蓋板を備える。ファンが発生させた気流は、放熱フィンの熱を吸い込み、且つ外部に放出して、固定部材を冷却する。放熱効果を高めるためには、放熱フィンの数量を増加させる。しかし、放熱フィンの数量の増加は、ファンモジュールの加工成形を難しくし、また、放熱フィンの設置位置と気流の流れ込む角度とに誤差が生じた場合、ファンモジュールの放熱機能に影響を与える。
【発明の概要】
【発明が解決しようとする課題】
【０００３】
以上の問題点に鑑みて、本発明は、成形が容易であり、且つ放熱効果が高いファンモジュール及び該ファンモジュールにおける固定部材を提供することを目的とする。
【課題を解決するための手段】
【０００４】
上記の課題を解決するために、本発明のファンモジュールは、固定部材、伝熱パイプ、ファン及び蓋板を備える。前記伝熱パイプと前記ファンとは、それぞれ、前記固定部材の反対側に設置され、前記蓋板は、前記ファンをカバーし、前記固定部材は、高分子伝熱材料によって製造され、底板及び前記底板に設置されたＵ字状の側壁を備え、前記底板は、互いに接続された収容部と放熱部を備え、前記側壁には、前記底板の収容部を囲むように取り付け溝が形成され、前記放熱部を囲むように、且つ前記取り付け溝と連通するように放熱口が形成され、前記ファンは、回転可能に前記収容部に取り付けられ、且つ前記取り付け溝内に収容され、前記放熱部には、複数の伝熱棒が設置され、前記側壁には、伝熱口が設けられ、前記底板の前記側壁の外部に位置する箇所には、複数の伝熱棒が設けられ、前記底板の前記側壁の外部に位置する伝熱棒は、前記伝熱口と対応し、前記蓋板は、前記側壁に設置される。
【０００５】
上記の課題を解決するために、本発明のファンモジュールにおける固定部材は、高分子伝熱材料によって製造され、底板及び前記底板に設置されたＵ字状の側壁を備え、前記底板は、互いに接続された収容部と放熱部を備え、前記側壁には、前記底板の収容部を囲むように取り付け溝が形成され、前記放熱部を囲むように、且つ前記取り付け溝と連通するように放熱口が形成され、前記放熱部には、複数の伝熱棒が設置され、前記側壁には、伝熱口が設けられ、前記底板の前記側壁の外部に位置する箇所には、複数の伝熱棒が設けられている。
【発明の効果】
【０００６】
本発明のファンモジュール及び該ファンモジュールにおける固定部材は、固定部材の伝熱棒が、放熱部及び側壁の外部に設置されており、ファンが発生させた気流が熱を吸い込んで、固定部材を冷却するため、放熱効果に優れている。また、ファンモジュールの製造及び成形は容易である。
【図面の簡単な説明】
【０００７】
【図１】本発明に係るファンモジュールの斜視図である。
【図２】図１に示したファンモジュールの分解斜視図である。
【図３】図１に示したファンモジュールを別の視角から見た分解斜視図である。
【図４】図１に示したファンモジュールの固定部材の斜視図である。
【図５】図１に示したファンモジュールの固定部材を別の視角から見た分解斜視図である。
【発明を実施するための形態】
【０００８】
以下、図面に基づいて、本発明に係るファンモジュール及び該ファンモジュールにおける固定部材について詳細に説明する。図１から図３に示したように、ファンモジュール１００は、パソコン内に設置され、固定部材１０、固定部材１０に形成された伝熱パイプ２０、ファン３０及び蓋板４０を備える。伝熱パイプ２０とファン３０は、それぞれ固定部材１０の両側に設置されている。蓋板４０は、固定部材１０に固定され、且つファン３０をカバーする。他の実施形態において、ファンモジュール１００は、他の電子装置に取り付けることができる。例えば、デスクトップパソコンのホストケース内に設置される。
【０００９】
図４及び図５に示したように、固定部材１０は一体成形され、底板１１と、底板１１から延在する側壁１３と、を備える。側壁１３は、ほぼＵ字状を呈し、底板１１を内部と外部との２つの部分に仕切る。底板１１は、側壁１３内部に位置し、且つ互いに接続された収容部１１１と放熱部１１３及び側壁１３の外部に位置する２つの延在部１５を備える。収容部１１１には、半球形の伝熱突起１１１１が均一に設置され、且つ３つの放熱孔１１１３が設けられている。３つの放熱孔１１１３の外輪郭は、仮想上の１つの円周を形成する。収容部１１１において３つの放熱孔１１１３の外輪郭を囲むように形成される仮想上の円周の中心箇所には、取り付け孔１１１５が設けられている。放熱部１１３には、伝熱棒１１３１が均一に配置されている。伝熱棒１１３１は、円錐台状を呈し、伝熱棒１１３１の高さは、伝熱突起１１１１の高さより高い。延在部１５は、底板１１の両側に位置し、且つ側壁１３の外部に位置する。各延在部１５の一端には、複数の伝熱棒１５１が設けられている。他の実施形態において、放熱孔１１１３の数量は３つに限定されず、実際の要求に応じて設置できる。
【００１０】
側壁１３は、円孤形の接続板１３１及び接続板１３１の両端から接続板１３１と離れる方向に向けて延在した２つの止め板１３３を備える。接続板１３１は、底板１１の収容部１１１を囲むように取り付け溝１１５を形成し、２つの止め板１３３は、放熱部１１３の両側に設置され、且つ互いに対向して、該取り付け溝１１５と連通する放熱口１１７を形成する。接続板１３１の２つの止め板１３３と隣接する箇所には、２つの伝熱口１３１１が設けられている。伝熱口１３１１は、隣接している延在部１５の伝熱棒１５１と対応する。各止め板１３３の接続板１３１と接続する箇所は、放熱部１１３に向けて突出して、底板１１に対して垂直である固定孔１３３１が設けられている。
【００１１】
固定部材１０の側壁１３側とは反対側の一側には、Ｕ字状を呈する固定溝１７が設けられている。固定溝１７は、底板１１の２つの放熱孔１１１３と連通する。固定部材１０は、高分子伝熱材料によって製造される。高分子伝熱材料は、４０％重量分率のポリアミドと、６０％重量分率のナノグラファイトで構成される。伝熱パイプ２０は、Ｕ字状の真空伝熱銅管であり、固定溝１７内に取り付けられる。本実施形態において、伝熱パイプ２０は、インサート成形方法によって、固定部材１０内に設置される。
【００１２】
図２及び図３に示したように、ファン３０は、インペラー３１と、インペラー３１の周辺を囲むように延在している複数の羽根３３と、を備える。羽根３３は、インペラー３１の径方向に沿って、且つ外部に向けて延在するように形成されている。インペラー３１は、回転可能に収容部１１１の取り付け孔１１１５内に取り付けられる。この際、羽根３３は、３つの放熱孔１１１３の上方に位置する。蓋板４０は、取り付け溝１１５の一側に設置され、且つ固定孔１３３１にロックされて、側壁１３に固定される。
【００１３】
ファンモジュール１００を組み立てる際、先ず、伝熱パイプ２０を固定部材１０に設置する。次に、ファン３０を回転可能に取り付け孔１１１５内に設置した後、蓋板４０を側壁１３に固定する。
【００１４】
ファンモジュール１００を使用する際、伝熱パイプ２０は、電子装置の熱を固定部材１０に伝熱する。この際、ファン３０が回転すると、気流が取り付け溝１１５内から放熱口１１７及び伝熱口１３１１に向けて流れ出る。これにより、放熱部１１３の伝熱棒１１３１及び延在部１５の伝熱棒１５１の熱は放熱される。
【００１５】
底板１１の放熱部１１３が伝熱棒１１３１を備え、延在部１５も伝熱棒１５１を備えるため、ファン３０が発生させた気流は、伝熱棒１１３１、１５１の熱を吸い込んで、固定部材を冷却することができ、放熱効果に優れている。また、ファンモジュールの製造及び成形は容易である。さらに、伝熱棒１５１、１１３１は均一に設置されているため、ファンモジュール１００の放熱の均一性を向上できる。ファン３０は、固定部材１０に設置されて、放熱する固定部材１０をファンの底板として利用するため、従来のファンの底板を省略し、ファンモジュール１００の放熱効果を高めることができる。また、伝熱パイプ２０は、インサート成形方法によって、固定部材１０と緊密に固定されているため、素早く熱を伝熱することができる。
【符号の説明】
【００１６】
１０  固定部材
１１  底板
１３  側壁
１５  延在部
１７  固定溝
２０  伝熱パイプ
３０  ファン
３１  インペラー
３３  羽根
４０  蓋板
１００  ファンモジュール
１１１  収容部
１１３  放熱部
１１５  取り付け溝
１１７  放熱口
１３１  接続板
１３３  止め板
１１１１  伝熱突起
１１１３  放熱孔
１１１５  取り付け孔
１１３１、１５１  伝熱棒
１３１１  伝熱口
１３３１  固定孔
【図１】
2014225659.tif 000003
【図２】
2014225659.tif 000004
【図３】
2014225659.tif 000005
【図４】
2014225659.tif 000006
【図５】
2014225659.tif 000007